(57)【要約】【課題】簡単に設置できて部屋内の人の状態によって照度制御が行える照度制御システムを提供する。【解決手段】照明１ａ、１ｂは、間欠的に受信を行い、携帯無線機２からの信号を受信すると、ＲＳＳＩを確認して、ＲＳＳＩに応じて照度を制御するので、照明１ａが携帯無線機２を持った人の近くにある場合には、照明１ａにおいての携帯無線機２からの信号のＲＳＳＩは高く、離れて設置された照明１ｂのＲＳＳＩは低くなるので、照明１ａの照度は高く、照明１ｂの照度は低く設定される。【選択図】図１
2009087834.tif 000002
【特許請求の範囲】
【請求項１】
無線信号を送信する携帯無線機と、前記携帯無線機からの無線信号を受信すると受信信号強度に応じて照度を制御する複数の照明とで構成する照度制御システム。
【請求項２】
前記照明の少なくとも１台は、あらかじめ定めたタイミングで無線信号を送信し、前記携帯無線機は、前記照明からの無線信号を受信すると応答信号を返すことを特徴とする請求項１記載の照度制御システム。
【請求項３】
前記照明は、他の照明からの無線信号を受信すると受信信号強度に応じて照度の制御を行う請求項２記載の照度制御システム。
【請求項４】
前記照明は、前記携帯無線機から受信した信号の受信信号強度を含む信号を送信し、その受信信号強度を含む信号を受信して前記受信信号強度（前記携帯無線機の位置を特定して前記携帯無線機の位置）に応じた照度設定値を前記照明に送信する照度制御装置を備えた請求項１または２記載の照度制御システム。
【請求項５】
照度センサにより周囲の明るさを無線によって送信する照度検出器を有し、前記照度制御装置は、前記照度検出器のデータを無線によって受信して前記照度設定値の乗数とする請求項４記載の照度制御システム。
【請求項６】
照度制御装置は、あらかじめ定めたタイミングで無線信号を送信し、前記携帯無線機は、前記照度制御装置からの無線信号を受信すると応答信号を送信し、前記照明は、それぞれ前記携帯無線機からの応答信号を受信して受信信号強度に応じた照度の制御を行う請求項１記載の照度制御システム。
【請求項７】
請求項１〜６のいずれか１項記載の照度制御システムの制御の少なくとも一部を電子機器で実行させるプログラム。
【発明の詳細な説明】
【技術分野】
【０００１】
本発明は、室内の照明において、各照明の照度の制御を行う照度制御システム、およびそのプログラムに関するものである。
【背景技術】
【０００２】
一室複数灯の部屋では、必要な部位の照明を必要な明るさで使用することにより、一室一灯の部屋よりも節電につながる。また、眠る前に明るい光を浴びると、眠気が覚めたり、睡眠が浅くなったりするため、寝る前は照度を下げて、深く眠り、すっきり目覚められる環境をつくることが求められることなどにより、照明の照度は一律ではなく時間、状況による制御が必要である。
【０００３】
複数の照明の照度制御は、照度制御装置により各照明の照度の設定を行っておき、必要時に照度制御装置の設定ボタン等を押すことで各照明の照度を一括して変更することで行われている。
【０００４】
また、照度センサ等によって、その場の照度を測定して各照明の照度を制御したり、赤外線センサ等によって構成した人感センサによって、人が入退室や接近したり離れたりすることにより照明を入り切りや照度の制御も行われている（例えば、特許文献１参照）。
【０００５】
また、人感センサやパーティションによって部屋のある範囲の人の存在のみを検出して、特定の照明を制御することも行われている（例えば、特許文献２参照）。
【特許文献１】特開平１１−２３３２６８号公報
【特許文献２】特開平１１−４０３７８号公報
【発明の開示】
【発明が解決しようとする課題】
【０００６】
しかしながら上記のようなシステム構成では、人感センサは気温によって反応感度が異なったり、反応するかしないかのＯＮ／ＯＦＦ制御であるため、特に複数の照明の照度の制御を行うためには、パーティションやセンサの設置位置・方向への配慮や複雑な制御アルゴリズムが必要である。
【０００７】
また、人感センサは赤外線による温度変化上昇による検出や動体検出によるものであるため、屋内で飼っている犬や猫などのペットにも反応するものがほとんどで、不要な照明制御を行う可能性がある。
【０００８】
本発明は、前記従来の課題を解決するもので、容易に設置できて部屋内の人間の状態によって照度制御が行える照度制御システムを提供することを目的とする。
【課題を解決するための手段】
【０００９】
上記課題を解決するため、本発明の照度制御システムは、無線信号を送信する携帯無線機と、前記携帯無線機からの無線信号を受信すると受信信号強度に応じて照度を制御する複数の照明とで構成するものである。これによって、人の持った携帯無線機からの無線信号の受信信号強度が強い場合には照度を高くし、弱くなると照度を低く制御することができる。
【発明の効果】
【００１０】
本発明の照度制御システムは、照明が携帯無線機からの無線信号の受信信号強度に応じ
て照度を制御することができるので、携帯無線機を持った人の近くにある照明のみの照度を高くすることですべての照明において無駄な電力を消費しなくすることができる。
【発明を実施するための最良の形態】
【００１１】
第１の発明の照度制御システムは、無線信号を送信する携帯無線機と、前記携帯無線機からの無線信号を受信すると受信信号強度に応じて照度を制御する複数の照明とで構成するものである。
【００１２】
これにより、携帯無線機を持った人の近くにある照明のみの照度を高くすることですべての照明において無駄な電力を消費しなくすることができる。
【００１３】
第２の発明の照度制御システムは、第１の発明の照明の少なくとも１台は、あらかじめ定めたタイミングで無線信号を送信し、前記携帯無線機は、前記照明からの無線信号を受信すると応答信号を返すことを特徴とするものである。
【００１４】
これにより、携帯無線機は常に受信状態であればよく照明のない部屋外などでの無線信号の送信を行わないので、不要な電力を消費することなく他の無線システムに対して電波放出による電波妨害を行うこともなくなる。
【００１５】
第３の発明の照度制御システムは、第２の発明の照明を、他の照明からの無線信号を受信すると受信信号強度に応じて照度の制御を行うこととしたものである。
【００１６】
これにより、他の照明の距離との関係で照度を調整することができるので、各照明の照度の細かい制御に利用できる。
【００１７】
第４の発明の照度制御システムは、第１または第２の発明の照明は、前記携帯無線機から受信した信号の受信信号強度を含む信号を送信し、その受信信号強度を含む信号を受信して前記受信信号強度に応じた照度設定値を前記照明に送信する照度制御装置を備えたものである。
【００１８】
これにより、照度制御装置に各照明で受信した受信信号強度を集めることで、照度制御装置のみで受信信号強度と照度の変換処理を行えばよく、照明には受信信号強度と照度の変換のための回路が必要なくなる。
【００１９】
第５の発明の照度制御システムは、第４の発明の構成に加えて、照度センサにより周囲の明るさを無線によって送信する照度検出器を有し、前記照度制御装置は、前記照度検出器のデータを無線によって受信して前記照度設定値の乗数とするものである。
【００２０】
これにより、照度検出器から受信した照度信号による部屋の明るさをもとにして各照明の照度を決定できるため、より無駄のない照度制御を行うことができる。
【００２１】
第６の発明の照度制御システムは、第１の発明の照度制御装置は、あらかじめ定めたタイミングで無線信号を送信し、前記携帯無線機は、前記照度制御装置からの無線信号を受信すると応答信号を送信し、前記照明は、それぞれ前記携帯無線機からの応答信号を受信して受信信号強度に応じた照度の制御を行うこととしたものである。
【００２２】
これにより、照明にはサーチ信号を送信するタイミングを計時する機能が不要になるので、照明の機器構成を簡易にできる。
【００２３】
第７の発明は、第１〜６の発明の照度制御システムにおいて、その制御の少なくとも一
部を照明や携帯無線機や照度制御装置で実行させるプログラムで、これによって記録媒体や通信回線でのダウンロードによって運用途中でのプログラムの変更や追加を行うことができるので、新たな仕様変更に対応できる。
【００２４】
以下、本発明の実施の形態について、図面を参照しながら説明する。なお、この実施の形態によって本発明が限定されるものではない。
【００２５】
（実施の形態１）
以下、本発明の第一の実施の形態について図面を用いて説明する。
【００２６】
図１は、本発明の第一の実施の形態における照度制御システムの構成図である。照明１ａおよび照明１ｂは無線通信機（図示せず）を内蔵しており、それぞれ同じ部屋内に設置して、携帯無線機２を持つ住人の部屋内での位置によって照度制御を行う。
【００２７】
携帯無線機２の形態は、携帯電話、名刺型のカード、キーホルダー、筆記具、ペンダント、腕時計等に内蔵して常に携帯するようなものとしている。無線手段としては、一部屋で通信可能であればよいため、無線ＬＡＮ、特定小電力無線などの数十メートルでの通信ができる方式を用いればよい。
【００２８】
次に、各照明１と携帯無線機２との無線通信を用いた照度制御の手順について無線信号の流れを示す図２で説明する。
【００２９】
携帯無線機２は、１０秒毎にビーコン信号１１を送出する。信号の内容は携帯無線機２を特定するためのＩＤを含むものとする。
【００３０】
照明１ａは、間欠的に受信を行い、携帯無線機２からの信号を受信すると、ＲＳＳＩ（Ｒｅｃｅｉｖｅｄ  Ｓｉｇｎａｌ  Ｓｔｒｅｎｇｔｈ  Ｉｎｄｉｃａｔｏｒのことで、受信信号強度としての受信電界強度を表す場合に一般に用いられる）を確認して、ＲＳＳＩに応じて照度を制御する。照明１ｂも、同様に間欠的に受信を行い、携帯無線機２からの信号を受信すると、ＲＳＳＩを確認して、ＲＳＳＩに応じて照度を制御する。
【００３１】
ＲＳＳＩは、照明１の無線受信回路（図示せず）によって受信した入力電圧の対数値（ｄＢマイクロＶ）に対しほぼ比例した値を生成して出力する。その数値範囲はたとえば−２０から＋６０の範囲であり、数値が大きいほど入力電圧が高く安定して受信できていることを示す。このＲＳＳＩの値より照度を決定するが、ＲＳＳＩは通信相手との距離の自乗に半比例すると考えれば、ＲＳＳＩが高ければ近くにいると判断して照度を高く設定する。ＲＳＳＩと照度設定値の関係は１対１で決めておいてもよいし、使用者が設定を変更できるようにすれば、部屋自体の明るさ（窓からの明かりなど）に応じて照度を加減することもできる。
【００３２】
たとえば、図１のように、照明１ａが携帯無線機２を持った人の近くにある場合には、照明１ａにおいての携帯無線機２からの信号のＲＳＳＩは高く、離れて設置された照明１ｂのＲＳＳＩは低くなるので、照明１ａの照度は高く、照明１ｂの照度は低く設定する。
【００３３】
照明１の受信動作のタイミングは、連続受信にしておいてもよいが、常に受信電力を使用することになるので、間欠受信動作として携帯無線機１からのビーコン信号１１を間欠受信の間隔より長く送信することで必ず受信できるようにしたり、携帯無線機１からのビーコン信号１１の送信間隔と同じ時間で受信を開始できるだけの正確な計時機能を照明１に備えてもよい。
【００３４】
これにより、照明は他の機器との配線を行うことなく設置でき、携帯無線機を持った人の近辺では明るく、人のいない場所では比較的暗くして、不要な部分を無駄に明るく照らさない状態となり、携帯無線機２を携帯する人が部屋の中を移動しても常に制御が繰り返し行われることになる。
【００３５】
なお、本実施例においては、携帯無線機２より定期的にビーコン信号１１を送信することとしたが、図３に示す信号の流れのように、照明１から定期的（たとえば１０秒間隔）にサーチ信号１２を送信して、受信した携帯無線機２が応答信号１３を送信することとすれば、各照明１は応答信号１３を受信してＲＳＳＩを確認することで、同様の照度制御を行うことができる。このように、照明１からサーチ信号１２を送信することとすれば、携帯無線機２は常に受信状態であればよく、照明１のない部屋外などでの無線信号の送信を行わないので、不要な電力を消費することなく、他の無線システムに対して電波放出による電波妨害を行うこともなくなる。
【００３６】
また、上記実施例において、携帯無線機２からの送信信号に自己のＩＤを含むこととしたが、これを照明１で利用することによって、高齢者などの視力が低い方の保有する携帯無線機２のＩＤとして識別すると照度を２割程度高く設定したり、照度を制御しない携帯無線機２を選別したりするといった使い方ができる。
【００３７】
また、上記実施例において、ビーコン信号１１やサーチ信号１２の送信間隔を１０秒としたが、部屋の用途等によって間隔を設定してもよいし、照明１から送信するサーチ信号１２であれば、照明１でＲＳＳＩの変化量をモニタして人の移動の状況によって間隔を変更することとすれば、必要以上に電波を送出することもない。
【００３８】
また、上記実施例においては、照明１を２台で説明したが、３台以上であっても同様の照度制御を行うことができる。照明の台数が多ければそれだけ細かく照度制御ができる（たとえば、人の直近のみ明るく照らす）ので、節電にも効果的である。
【００３９】
また、上記実施例では、携帯無線機２を１台のみで説明したが、２人以上の人が部屋内にいる場合は各人が携帯無線機２を携帯することとすればよい。この場合の携帯無線機２から送信する無線信号のタイミングは、それぞれの携帯無線機２でずらして送信することで照明１はそれぞれの携帯無線機２からのビーコン信号１１または応答信号１３を受信することができる。この携帯無線機２からの送信タイミングのすらし方は、携帯無線機２のＩＤや乱数を生成して、タイマによって送信待ち時間を変えればよい。これにより、各携帯無線機２からの受信信号のＲＳＳＩを得ることができ、照度は最も高いＲＳＳＩに応じて設定することとすれば、人がいる場所での照度を十分に保つことができる。
【００４０】
（実施の形態２）
以下、本発明の第二の実施の形態について図面を用いて説明する。
【００４１】
図４は、本発明の第二の実施の形態における照度制御システムの構成図である。
【００４２】
照明１ａおよび照明１ｂは無線通信機（図示せず）を内蔵しており、それぞれ同じ部屋内に設置して、携帯無線機２を持つ住人の部屋内での位置によって照度制御を行う。
【００４３】
携帯無線機２の形態は、携帯電話、名刺型のカード、キーホルダー、筆記具、ペンダント、腕時計等に内蔵して常に携帯するようなものとしている。
【００４４】
次に、各照明１と携帯無線機２との無線通信を用いた照度制御の手順について無線信号の流れを示す図５で説明する。
【００４５】
照明１ａからは定期的（たとえば１０秒間隔）にサーチ信号１２ａを送信し、受信した携帯無線機２は、応答信号１３ａを送信する。
【００４６】
照明１ａは、間欠的に受信を行い、携帯無線機２からの応答信号１３ａを受信すると、受信信号のＲＳＳＩを確認する。
【００４７】
照明１ｂも、同様に１０秒間隔にサーチ信号１２ｂを送信し、受信した携帯無線機２は、応答信号１３ｂを送信する。
【００４８】
照明１ｂは、間欠的に受信を行い、携帯無線機２からの応答信号１３ｂを受信すると、受信信号のＲＳＳＩを確認する。
【００４９】
さらに、照明１ａは、照明１ｂの送信したサーチ信号１２ｂを受信すると、受信信号のＲＳＳＩを確認することで照明１ａと照明１ｂとの距離を算出する。同様に、照明１ｂは、照明１ａの送信したサーチ信号１２ａを受信すると、受信信号のＲＳＳＩを確認する。他の照明１からの受信信号のＲＳＳＩによって照明１ａ、照明１ｂはそれぞれ携帯無線機２からの受信信号のＲＳＳＩに応じた照度の制御を加減する。
【００５０】
つまり、他の照明１からの受信信号のＲＳＳＩによって照明１のそれぞれの距離が推定できるため、たとえば照明１ａで照明１ｂからの受信信号のＲＳＳＩが、あらかじめ定めた値以上であった場合は照明１同士が近距離にあるので携帯無線機２からの受信信号のＲＳＳＩによって設定しようとした照度より少し下げることで、明るすぎることがないようにできる。これは、照明１がスタンド式の持ち歩けるようなタイプであった場合に照度の細かい制御に利用できる。
【００５１】
（実施の形態３）
以下、本発明の第三の実施の形態について図面を用いて説明する。
【００５２】
図６は、本発明の第三の実施の形態における照度制御システムの構成図である。
【００５３】
システム構成上でこれまでの実施の形態と異なるのは、照度の制御値を照明１へ通知する照度制御装置３を設けたことである。
【００５４】
次に、各照明１と携帯無線機２および照度制御装置３との無線通信を用いた照度制御の手順について無線信号の流れを示す図７で説明する。
【００５５】
まず、照明１ａから定期的（たとえば１０秒間隔）にサーチ信号１２を送信して、受信した携帯無線機２は応答信号１３を送信する。
【００５６】
照明１ａは応答信号１３を受信してＲＳＳＩを確認して、１ａの受信電界強度であるＲＳＳＩを含む受信強度信号１４ａを照度制御装置３に対して送信する。
【００５７】
同様に、照明１ｂも応答信号１３を受信してＲＳＳＩを確認して、１ｂの受信電界強度であるＲＳＳＩを含む受信強度信号１４ｂを照度制御装置３に対して送信する。
【００５８】
照度制御装置３では、受信した受信強度信号１４および１４ｂより照明１ａおよび照明１ｂの制御すべき照度を決定し、照明１ａに対しては照明１ａの制御する照度データを含む照度制御信号１５ａを、照明１ｂに対しては照明１ｂの制御する照度データを含む照度制御信号１５ｂを送信する。
【００５９】
それぞれの照明１では、照度制御信号１５を受信すると、制御する照度データに応じて照度を設定する。
【００６０】
以上のように、照度制御装置３に各照明１で受信したＲＳＳＩを集めることで、照度制御装置３のみでＲＳＳＩと照度の変換処理を行えばよく、照明１にはＲＳＳＩと照度の変換のための回路が必要なくなる。
【００６１】
なお、本実施例においては、照度制御装置３は、各照明１の携帯無線機２からの信号の受信強度のみで照度制御を行っているが、図８に示すようにフォトトランジスタやフォトダイオード等を使った部屋内の照度を測定する照度センサを備えて無線送信可能な照度検出器４を設け、照度検出器４が測定した照度を含む照度信号１６を定期的（たとえば３０分毎）に照度制御装置へ送信することとすると、照度制御装置３は、各照明１から受信した受信強度信号１４による各照明１の携帯無線機２との距離に相当するＲＳＳＩと、照度検出器４から受信した照度信号１６による部屋の明るさをもとにして各照明１の照度を決定できるため、より無駄のない照度制御を行うことができる。たとえば、部屋の明るさが十分に明るいと判断すれば、それぞれの照明１への照度データに２分の１を掛け、半分の照度に下げる等の制御を行う。
【００６２】
また、照度制御装置３に一日の計時機能を設け、昼間は窓の外が明るいはずであるから、制御する照度を半分にしたり、深夜には、刺激を与えないように照度を抑えて制御したり、朝方は目が覚めるように照度を１．５倍にするなどの人の生活に応じた細かな制御もできる。
【００６３】
また、上記の各実施例において、サーチ信号１２を送信する機器を照明１としたが、図９、図１０に示すように照度制御装置３からサーチ信号１２を送信することとすれば、照明１にはサーチ信号１２を送信するタイミングを計時する機能は不要になるので、照明１の機器構成を簡易にできる。さらに、照度制御装置３でのサーチ信号１２の送信間隔を変更したいときにも、照度制御装置３を手の届く机上や壁面に設置することで容易に行うことができる。
【００６４】
また、上記の各実施例において、各照明の無線通信部分のアンテナ指向性については示していないが、指向性のできるだけないアンテナを用いることとすれば、距離に応じて受信信号強度は変化するので単に距離に応じた照度の制御を行うことができるし、逆に指向性のあるアンテナを用いることとすれば、特定の位置や方向に関して受信感度を上げることができるので、パーティションを区切ることなく人が特定のスペースに近づくことにより照度を上げたりする照度制御を行うことができる。
【００６５】
また、本発明は上記各実施の形態を各機器に実現させるプログラムであっても、そのプログラムを記録した記録媒体（ＲＯＭ内蔵カセットなど）であってもよい。プログラムを用いることで、そのプログラムを記録した記録媒体を交換して用いたり、ネットワークを介して書き換えたりすることで制御を変更することが容易にできる。
【産業上の利用可能性】
【００６６】
以上のように、本発明にかかる照度制御システムおよびそのプログラムは、携帯無線機を持った人の位置によって部屋内のそれぞれの照明の照度を制御することが可能なので、一般家庭の部屋のみでなく会社等の事務所や工場、商店のディスプレイの照度制御にまで適用し得るものである。
【図面の簡単な説明】
【００６７】
【図１】本発明の実施の形態における照度制御システムの構成図
【図２】本発明の第一の実施の形態における無線信号の流れ図
【図３】本発明の第一の実施の形態における別の無線信号の流れ図
【図４】本発明の第二の実施の形態における照度制御システムの構成図
【図５】本発明の第二の実施の形態における無線信号の流れ図
【図６】本発明の第三の実施の形態における照度制御システムの構成図
【図７】本発明の第三の実施の形態における無線信号の流れ図
【図８】本発明の第三の実施の形態における別の照度制御システムの構成図
【図９】本発明の実施の形態における別の照度制御システムの構成図
【図１０】本発明の実施の形態における別の無線信号の流れ図
【符号の説明】
【００６８】
１  照明
２  携帯無線機
３  照度制御装置
４  照度センサ
【図１】
2009087834.tif 000003
【図２】
2009087834.tif 000004
【図３】
2009087834.tif 000005
【図４】
2009087834.tif 000006
【図５】
2009087834.tif 000007
【図６】
2009087834.tif 000008
【図７】
2009087834.tif 000009
【図８】
2009087834.tif 000010
【図９】
2009087834.tif 000011
【図１０】
2009087834.tif 000012